(57)【要約】【課題】移動電話などの移動通信装置への着信の管理を改善する。【解決手段】本発明の通信装置は、着信を受け取るように動作可能な通信インタフェースと、通信装置によって実行可能なパーソナル・インフォメーション・マネージャと、通信装置が受け取った着信を、パーソナル・インフォメーション・マネージャの情報の少なくとも一部分に基づいて管理するように通信装置によって実行可能な着信マネージャとを含む。また、本発明の移動通信装置の着信を管理する方法は、パーソナル・インフォメーション・マネージャに情報を受け取る段階と、移動通信装置において着信を受け取る段階とを含み、移動通信装置が、受け取った着信をパーソナル・インフォメーション・マネージャの情報の少なくとも一部分に基づいて処理する適切な方式を自律的に決定する。【選択図】図１
2004007620.tif 000002
【特許請求の範囲】
【請求項１】
通信装置であって、
着信を受け取るように動作可能な通信インタフェースと、
前記通信装置が実行可能なパーソナル・インフォメーション・マネージャと、
前記パーソナル・インフォメーション・マネージャの情報の少なくとも一部分に基づいて、前記通信装置が受け取る着信を管理するために前記通信装置が実行可能な着信マネージャと、
を含む通信装置。
【発明の詳細な説明】
【０００１】
【発明の属する技術分野】
本発明は、一般に、通信の管理に関し、より詳細には、通信装置の着信（ｉｎｃｏｍｉｎｇ　ｃｏｍｍｕｎｉｃａｔｉｏｎ）を管理するシステムおよび方法に関する。
【０００２】
【従来の技術】
現在は、例えば、移動電話（例えば、携帯電話）、ページャ、携帯情報端末（ＰＤＡ）を含む様々なタイプの移動通信装置を利用することができ、また新しい移動通信装置が次々と開発されている。いくつかの移動通信装置は、複数の異なるタイプの通信を可能にする。例えば、データ通信（例えば、ファックス、電子メール、ショート・テキスト・メッセージング）と音声通信の両方に使用するできる複合携帯電話が利用可能である。
【０００３】
また、一般に、ユーザが個人情報を格納し、アクセスしかつ／または構成できるようにするパーソナル・インフォメーション・マネージャ（ＰＩＭ）が開発された。ＰＩＭは、伝統的に、例えばユーザが個人情報を記憶し、アクセスしかつ／または構成できるようにする電子カレンダー、データブック、連絡先リスト、住所録およびタスク・リストのようなタイプのソフトウェア・アプリケーションを含む。現在利用できるＰＩＭのいくつかの例には、ＭＩＣＲＯＳＯＦＴ　ＯＵＴＬＯＯＫ、ＬＯＴＵＳ　ＮＯＴＥＳ、ＴＡＳＫＭＩＮＤＥＲおよびＰＩＭＯＮＬＩＮＥがある。
【０００４】
多くのモバイル機器は、ＰＩＭを含む。そのようなモバイル機器は、別の装置と接続して、それぞれの装置のＰＩＭによって管理される個人情報を同期させることができる。例えば、移動通信装置をパーソナル・コンピュータ（ＰＣ）に通信可能に接続して、移動通信装置のＰＩＭの情報を、ＰＣのＰＩＭの情報と同期させることができる。従来より、いくつかのタイプの移動通信装置にはＰＩＭがなかった。例えば、移動電話は、従来より通信機能（例えば、音声通信やショート・テキスト・メッセージング）を備えていたが、従来よりＰＩＭを備えていなかった。一方、ＰＤＡは、伝統的にＰＩＭを備えていた。また、ＰＤＡは、少なくともデータ通信機能を備えている場合がある。例えば、ＰＤＡは、電子メールやインターネットへの無線アクセスを達成する無線モデム（または、ディジタル移動電話に接続するインタフェース）を含むことができる。
【０００５】
ユーザがより高い機能を使用できるようにするためにＰＩＭを含む移動通信装置がますます増えてきている。移動通信装置の精巧さと機能性が高くなり続けているので、１つまたは複数の種類の通信（例えば、データ通信や音声通信）を提供する機能とＰＩＭ機能の両方を共通の装置に含む移動通信装置が利用できるようになってきている。例えば、最近、ＰＩＭを含む移動電話（「スマートフォン」とも呼ばれることがある）が利用可能になった。ＰＩＭを含む現在利用可能な移動電話の例には、ＱＵＡＬＣＯＭＭのＰＤＱスマートフォン、ＫＹＯＣＥＲＡのＱＣＰ　６０３５スマートフォン、ＭＯＴＯＲＯＬＡのＶ．Ｓｅｒｉｅｓ（商標）６０ｃフォン、およびＮＯＫＩＡの９２１０ＣＯＭＭＵＮＩＣＡＴＯＲがある。例えば、ＫＹＯＣＥＲＡのＱＣＰ　６０３５スマートフォンは、１つの装置内に、周知のＰＡＬＭオペレーティング・システム（ＰＩＭをサポートできる）、移動電話および無線モデムを含む。ＫＹＯＣＥＲＡのスマートフォンは、移動電話として、１）符号分割多重アクセス（ＣＤＭＡ）ディジタル・パーソナル通信サービス（ＰＣＳ）、２）ＣＤＭＡディジタル・セル式通信、および３）アナログ通信といった、無線ネットワークの３つの一般的なモードのいずれの場合も対処する。
【０００６】
さらに、互換性を持つ移動電話につないでその移動電話をスマートフォンに変換する付属品が利用可能である。例えば、ＭＯＴＯＲＯＬＡのＣＬＩＰＯＮ　ＯＲＧＡＮＩＺＥＲ−９８１７７は、ＰＩＭ機能を実現する付属装置であり、互換性を持つ移動電話につないで、実質的に通信機能とＰＩＭ機能性の両方を持つスマートフォンを作成することができる。
【０００７】
移動通信装置内にＰＩＭを含める結果として、ユーザに必要とされる個別装置の総数を少なくすることができる。例えば、ユーザは、ＰＩＭ機能を提供するＰＤＡと通信用の移動電話の両方を持つより、ＰＩＭ機能を含む移動電話を所有することを選択し、それにより個別のＰＤＡ装置を不要にすることができる。移動通信装置は、一般に、ユーザが着信の可聴通知（ａｕｄｉｂｌｅ　ｎｏｔｉｆｉｃａｔｉｏｎ）を手動で解除する機能を備えている。しかし、ユーザは、そのような可聴通知が不適切なイベントの前に、そのような可聴通知の解除を行えないことがある。
【０００８】
【発明が解決しようとする課題】
移動電話などの移動通信装置の普及によって、通信装置への着信の管理を改善する必要性が生じている。
【０００９】
【課題を解決するための手段】
本発明の１つの実施形態によれば、通信装置は、着信を受け取るように動作可能な通信インタフェースと、通信装置によって実行可能なパーソナル・インフォメーション・マネージャと、通信装置が受け取った着信を、パーソナル・インフォメーション・マネージャの情報の少なくとも一部分に基づいて管理するように通信装置によって実行可能な着信マネージャとを含む。また、本発明の１つの実施形態によれば、移動通信装置の着信を管理する方法は、パーソナル・インフォメーション・マネージャに情報を受け取る段階と、移動通信装置において着信を受け取る段階とを含み、移動通信装置が、受け取った着信をパーソナル・インフォメーション・マネージャの情報の少なくとも一部分に基づいて処理する適切な方式を自律的に決定する。
【００１０】
【発明の実施の形態】
次に、添付した図を参照して本発明の様々な実施形態を説明し、これらの図において、いくつかの図全体を通して類似した参照番号は類似した部品を表す。移動電話などの移動通信装置の普及によって、そのような装置への着信の管理を改善する必要性が生じている。例えば、移動通信装置が、着信を都合の悪いときに受け取る場合があり、そのような着信の可聴通知は、その移動通信装置の所有者や他の人を煩がらせて望ましくないことがある。例えば、移動電話の耳に聞こえる呼出し音は、そのような呼出し音が適切でない映画、演劇、商談、授業、宗教儀式、または様々な他の状況のような都合の悪いときに発生する可能性がある。
【００１１】
移動通信装置は、一般に、ユーザがそのような着信の可聴通知を手動で解除する機能を備えている。例えば、移動通信装置は、受け取った通信の不適当な可聴通知を回避するために、ユーザが装置の電源を切り、可聴通知の音量および／または曲を変更し、かつ／または通信の振動モード（通信装置が振動して着信をユーザに知らせる）を活動化することを可能にする。したがって、ユーザは、そのような効果が必要なときに、着信の可聴通知のような機能を手動でオン・オフしなければならない。しかしながら、ユーザは、そのような可聴通知が不適切なイベントの前に、そのような可聴通知の解除を行えないことがある。
【００１２】
本発明の実施形態は、移動通信装置の操作以外のイベントと関連した情報の少なくとも一部分に基づいて移動通信装置への着信の管理を可能にする。いくつかの実施態様において、管理の基となるイベントは、移動通信装置の動作と関連のない少なくとも１つの項目を含む。後で説明するように、好ましい実施形態において、そのようなイベントは、ユーザの予定された約束、連絡、またはタスクを含むことがある。そのようなイベントと関連した情報は、例えば電子カレンダーなどのアプリケーションへの個人情報の入力を含むことがある。このように、本発明のいくつかの実施形態は、移動通信装置が、受け取った着信のイベント駆動管理を自律的に実行することを可能にし、それにより移動通信装置が、移動通信装置に記憶された少なくとも１つのイベント（例えば、予定された約束）と関連するそのような情報（例えば、個人情報）の少なくとも一部分に基づいて、受け取った通信の取り扱いを自動的に制御する。
【００１３】
既存の技術において、ユーザがアプリケーションと対話して移動通信装置の動作を手動で設定できる（例えば、着信をユーザに通知するために移動通信装置によって利用される通知の種類を修正する）ようにするアプリケーションが利用可能であるが、本発明の実施形態は、移動通信装置が、移動通信装置の動作に直接関連しないイベントと関連した情報の少なくとも一部分に基づいて着信を取り扱う動作を自律的に管理できるようにする。例えば、移動通信装置は、予定された約束などのイベントと関連した情報に基づいて着信に適したタイプの通知を提供するように自律的に設定することができる。より具体的には、移動通信装置は、イベントと関連した情報に基づいて、可聴通知の活動化、可聴通知のタイプ、可聴通知の音量、振動通知の活動化などの少なくとも１つの通知パラメータを自律的に設定することができる。
【００１４】
本発明の好ましい実施形態により、移動通信装置への着信を、パーソナル・インフォメーション・マネージャ（ＰＩＭ）アプリケーション内の情報の少なくとも一部分に基づいて管理することができる。例えば、移動通信装置は、ユーザの行事カレンダー、連絡先リスト、住所録、タスクリストなど、移動通信装置上で実行するＰＩＭアプリケーション内の個人情報を利用して、着信を適切に管理する際の操作を自律的に制御することができる。
【００１５】
図１に移ると、本発明の実施形態を実現する移動通信装置例１００を示す。移動通信装置１００は、移動電話（例えば、携帯電話や複合携帯電話）、ページャおよびＰＤＡを含むがこれらに限定されない１つまたは複数のタイプの通信（例えば、無線やその他）を少なくとも受け取ることができる現在既知のあるいは今後開発される任意のタイプの移動通信装置を含むことができる。したがって、発明の実施形態を示す本明細書において、移動電話内に実現される様々な例を提供するが、本発明の実施形態は、任意のタイプの移動通信装置によって実現できることを理解されたい。
【００１６】
以下でさらに詳しく説明するように、図１に、移動通信装置１００を、含まれる機能ブロック例１０１〜１０６によって論理的に表す。機能ブロック１０１〜１０６はそれぞれ、ハードウェア、ソフトウェア、ファームウェア、またはそれらの組み合せで実現できることを理解されたい。さらに、そのような機能ブロック１０１〜１０６の具体的な実施態様は、既存の技術において周知であり、ＰＩＭからの情報の少なくとも一部分に基づいて着信の管理を可能にする本発明の実施形態を実現するように適合させることができる。
【００１７】
この実施例に示したように、移動通信装置１００は、移動通信装置１００によって実行可能なＰＩＭ１０１を含む。より具体的には、移動通信装置１００は、ＰＩＭ１０１を実行するソフトウェア命令を実行するように動作可能な少なくとも１つのプロセッサ１０６を含むことができる。そのようなプロセッサ１０６は、ＨＩＴＡＣＨＩのＳＨ３プロセッサ、ＩＢＭのＳＴＲＯＮＧＡＲＭプロセッサ、ＡＲＭ７１０プロセッサなどの移動通信装置において一般に実装されているプロセッサを含むがこれらに限定されない、現在既知または今後開発される任意の適切なプロセッサでよい。本発明は、プロセッサ１０６が本明細書に示したような創意に富む動作に対応している限り、プロセッサ１０６のアーキテクチャによって限定されない。プロセッサ１０６は、本発明の実施形態による様々な論理命令を実行することができる。例えば、プロセッサ１０６は、図６Ａ〜図６Ｂと関連して後で説明する動作フロー例による命令など、着信管理を実行するマシン・レベルの命令を実行する。
【００１８】
ＰＩＭ１０１は、例えばＱＵＡＬＣＯＭＭのＰＤＱスマートフォン、ＫＹＯＣＥＲＡのＱＣＰ６０３５スマートフォン、ＭＯＴＯＲＯＬＡのＶ．Ｓｅｒｉｅｓ６０ｃフォン、ＮＯＫＩＡの９２１０ＣＯＭＭＵＮＩＣＡＴＯＲなどの周知の移動電話装置と同じように、移動通信装置１００に含まれることが好ましい。しかしながら、ＰＩＭ１０１のすべてまたは一部分は、例えばＭＯＴＯＲＯＬＡの周知のＣＬＩＰＯＮ　ＯＲＧＡＮＩＺＥＲ９８１７７と同じように、移動通信装置１００に通信可能に結合することができる１つまたは複数の付属装置に実装されてもよい。また、移動通信装置１００上に、例えばＭＩＣＲＯＳＯＦＴのＷＩＮＤＯＷＳオペレーティング・システム（例えば、ＷＩＮＤＯＷＳ　ＣＥ）やＰＡＬＭオペレーティング・システムなどの任意の適切なオペレーティング・システムを実現することができる。
【００１９】
ＰＩＭ１０１は、ユーザが個人情報を記憶し、アクセスしかつ／または構成できるようにする少なくとも１つのアプリケーションを含むことができる。例えば、図１の例において、ＰＩＭ１０１は、カレンダー・アプリケーション１０１Ａと連絡先リスト・アプリケーション１０１Ｂを含む。そのようなカレンダーおよび連絡アプリケーションの実施態様は、当該技術分野において周知であり、カレンダーおよび／または連絡先リスト機能を提供するための現在既知または今後開発される任意の実施態様が、本発明の範囲に含まれる。さらに、後で説明するようないくつかの実施形態において、そのようなカレンダーおよび／または連絡先リスト・アプリケーションを、着信を管理する際に使用するように適合させることができる。カレンダー・アプリケーション１０１Ａと連絡先リスト１０１Ｂの追加または代替として、ＰＩＭ１０１は、ユーザが、例えば予定帳、住所録、タスク・リストを実現するアプリケーションなど、個人情報を記憶し、アクセスしまたは構成できるようにする他のアプリケーションを含むことができる。ＰＩＭ１０１は、いくつかの実施形態において着信の管理に使用するように適合させることができる、例えばＭＩＣＲＯＳＯＦＴ　ＯＵＴＬＯＯＫ、ＬＯＴＵＳ　ＮＯＴＥＳ、ＴＡＳＫＭＩＮＤＥＲ、ＰＩＭＯＮＬＩＮＥを含む現在既知または今後開発される任意のＰＩＭアプリケーションでよい。
【００２０】
いくつかの実施形態では、ユーザがアクセス可能なＰＩＭアプリケーションが、移動通信装置に含まれないことがある。より正確に言うと、いくつかの実施形態において、ＰＩＭ１０１などのＰＩＭアプリケーションは、移動通信装置１００が少なくとも一時的に通信可能に結合することができる別の装置に含まれることがある。例えば、後でさらに詳しく説明するように、ＰＩＭ１０１は、移動通信装置１００がそのＰＩＭから情報を受け取るように通信可能に結合することができるパーソナル・コンピュータ（ＰＣ）に記憶されてもよく、ＰＩＭからのそのような情報は、受け取った通信を管理する際に移動通信装置１００によって使用されてもよい。
【００２１】
移動通信装置１００は、着信の受信および／または発信の送信を可能にする１つまたは複数の通信インタフェース１０２を含む。通信インタフェース１０２は、例えば音声通信やデータ通信（例えば、電子メール、ショート・テキスト・メッセージングなど）を含む任意の所望のタイプの通信に適したインタフェースを含むことができる。移動通信装置で実現することができる現在既知または今後開発される任意の通信インタフェースは、本発明の範囲に含まれるものである。例えば、通信インタフェース１０２は、無線および／または無線インタフェースを含む。例えば、移動通信装置１００は、セル式通信インタフェース１０２Ａなど、無線通信プロトコルによる音声通信を受信しかつ／または送信するのに適したインタフェースを含む。セル式通信インタフェース１０２Ａは、周知の携帯電話に一般に実装されているような、現在既知または今後開発される任意のセル式インタフェースを含むことができる。例えば、セル式通信インタフェース１０２Ａには、ＣＤＭＡディジタルＰＣＳ、ＣＤＭＡディジタル・セル式通信、アナログ通信、時分割多重アクセス（ＴＤＭＡ）、および時分割多重アクセス（Ｅ−ＴＤＭＡ）を含むがこれらに限定されない、現在既知または今後開発される任意の１つまたは複数の適切な無線通信技術がある。
【００２２】
移動通信装置１００は、追加または代替として、（例えば、任意の適切な無線または有線通信プロトコルによって）データ通信を受信しかつ／または送信するのに適したインタフェースを含むことができる。図１の例において、移動通信装置１００は、ＩＰ通信を可能にするインターネット・プロトコル（ＩＰ）通信インタフェース１０２Ｂを含む。そのようなＩＰ通信インタフェース１０２Ｂは、無線または有線モデムを含むがこれらに限定されない、当該技術において周知のような任意の方式で実現することができる。移動通信装置は、一般に、そのようなＩＰ通信インタフェースを含むように実現される。データ通信を受信しかつ／または送信するそのようなインタフェースの他の例には、イーサネット通信インタフェースがあるがこれに限定されない。本発明のいくつかの実施形態により、移動通信装置１００のそのような通信インタフェース１０２を介して受け取った着信を、ＰＩＭ１０１内の情報の少なくとも一部分に基づいて管理することができる。
【００２３】
移動通信装置１００は、さらに、通信通知制御部１０３を含む。そのような通信通知制御部１０３は、移動通信装置１００による着信の受け取りの通知を制御するために現在既知または今後開発される任意の適切な実施態様を含むことができる。例えば、移動電話は、一般に、受け取った呼をユーザにどのように通知するかを支持する何らかのタイプの通知制御部を含む。例えば、周知のように、移動電話は、移動電話が着信呼を受け取ったことをユーザに聞こえるように通知するために利用される特定の呼出しタイプ（例えば、特定の音や一連の音）をユーザが指定できるようにする機能を含むことができる。移動電話は、さらに、ユーザが、着信呼を受け取ったときに利用される呼び出し音の音量を調整できるようにする周知の機能を含むことができる。さらに、移動電話は、さらに、ユーザが移動電話を振動モード（可聴通知の追加または代替として）に設定できるようにする機能を含み、移動電話は、振動して着信呼の受け取りをユーザに知らせる。移動電話（あるいは、他の移動通信装置）において、受け取った着信をユーザに通知する様々な他の技術を実施することができ、現在既知または今後開発される任意の通知技術が、本発明の範囲に含まれるように意図されている。
【００２４】
図１の例において、通信通知制御部１０３は、可聴通知タイプ（例えば、呼び出し音のタイプ）を制御する機能ブロック１０３Ａ、可聴通知の音量（例えば、呼び出し音の音量）を制御する機能ブロック１０３Ｂ、および移動通信装置１００の振動モードを制御する機能ブロック１０３Ｃを含む。これらの機能ブロック１０３Ａ〜１０３Ｃは、当該技術分野において周知のような任意の方式で実現することができる。前述のように、既存の移動通信装置により、ユーザは、そのような通信通知制御ブロック１０３と手動で対話して、可聴通知のタイプ（例えば、呼び出し音のタイプ）、可聴通知の音量、および振動通知のような通知機能を手動で設定することができる。より具体的には、ユーザは、アプリケーションと対話して移動通信装置１００の通知機能を直接設定することができ、そのようなアプリケーションは、ユーザ入力に応じて、装置１００の通知機能をユーザ入力で指定されたように構成する適切なコマンドを生成することができる。本発明のいくつかの実施形態は、ＰＩＭ１０１内の情報の少なくとも一部分に基づいて通信通知制御部１０３を管理することを可能にする。例えば、いくつかの実施形態において、移動通信装置１００は、ＰＩＭ１０１の少なくとも一部分に基づいて通信通知制御部１０３を自律的に管理するように動作可能である。
【００２５】
さらに、移動通信装置１００のいくつかの実施態様において、そのような装置１００は、呼出拒否（ｃａｌｌ　ｂｌｏｃｋｉｎｇ）アプリケーションを含むことができ、かつ／またはユーザは、呼出拒否・アプリケーションを利用して移動通信装置１００からの指定された呼出しをブロックする呼出拒否サービスに加入することができる。呼出拒否アプリケーションは、当該技術において周知であり、従来の呼出拒否・アプリケーションは、カレンダー、スケジュール表、タスク・リストなど、ユーザに関する任意のタイプの個人情報を管理しないという点でパーソナル・インフォメーション・マネージャ（ＰＩＭ）ではない。その代わりに、呼出拒否アプリケーションは、ユーザが拒否したい呼出しを発するユーザ指定番号を受け入れるだけである。動作において、拒否した番号から呼を受け取ったことを検出したら（例えば、発呼者ＩＤ装置によって）、呼出拒否アプリケーションは、その呼出しが移動通信装置１００に進むことを許可しない。これは、ユーザが拒否する番号を手動で指定することができ、また呼出拒否アプリケーションが指定番号をブロックするタスクを実行するという点で、呼び出し音のタイプや音量などの通知機能を手動で設定できる前述のアプリケーションと類似している。また、従来の呼出拒否アプリケーションは、パーソナル・インフォメーション・マネージャではない。
【００２６】
移動通信装置１００は、さらに、受け取った着信呼に対して聞こえるように提示される個人挨拶メッセージを制御するような、ユーザのボイスメールと関連した機能を制御するように動作可能なボイスメール制御ブロック１０４を含む。そのようなボイスメール制御ブロック１０４は、当該技術分野において周知の任意の方式で実現することができる。例えば、ボイスメール制御機能は、一般に、受け取った着信呼のために再生される個人挨拶メッセージを設定するためにユーザが対話できるように、移動電話に含まれる（あるいは、移動電話がアクセス可能な外部アプリケーションで実施される）。例えば、会議前に、ユーザは、自分が会議中であることを発呼者に通知するように自分の個人挨拶メッセージを設定することができ、会議が終わった後でその呼出しに返信できるはずである。ユーザの個人的挨拶のそのような設定は、例えば、新しい挨拶を記録するユーザを含んでもよく、あらかじめ記録された挨拶を活動化するユーザを含んでもよい。
【００２７】
いくつかの実施態様において、ボイスメール制御ブロック１０４のすべてまたは一部分が、移動通信装置１００の外部で実現されることがある。例えば、いくつかの実施態様において、ユーザは、外部アプリケーションにアクセスし（例えば、ボイスメール・サービスの特定の電話番号を呼び出すことによって）、そのような外部アプリケーションと対話して、個人的挨拶を処理するような外部ボイスメール・アプリケーションと関連した機能を制御する。ボイスメール制御ブロック１０４が、移動通信装置１００と一体化されているかその外部にあるかに関係なく、既存の移動通信装置によって、ユーザは、そのようなボイスメール制御ブロック１０４と手動で対話して、ボイスメールと関連した機能を制御することができる。本発明のいくつかの実施形態により、ＰＩＭ１０１内の情報の少なくとも一部分に基づいてボイスメール制御部１０４を管理することができる。例えば、いくつかの実施形態において、移動通信装置１００は、ＰＩＭ１０１の少なくとも一部分に基づいて、ボイスメール制御１０４を自律的に管理するように（例えば、適切な個人的挨拶を管理するために）動作可能である。
【００２８】
移動通信装置１００は、さらに、着信呼を誰から受け取ったかを識別するように動作可能な発呼者識別（ＩＤ）ブロック１０５を含む。そのような発呼者ＩＤブロック１０５は、当該技術分野において周知のような任意の方式で実現することがきる。例えば、一般に、移動電話には、受け取った着信呼を発する発呼者を識別する発呼者ＩＤ機能が含まれている。さらに後で説明するように、本発明のいくつかの実施形態は、発呼者ＩＤブロック１０５からの発呼者ＩＤ情報をＰＩＭ１０１内の情報と共に利用して、移動通信装置１００が受け取る着信呼を管理することができる。
【００２９】
本発明のいくつかの実施形態による動作のために、移動通信装置例１００に示したすべての機能ブロックを必ずしも含まなくてもよいことを理解されたい。例えば、いくつかの実施形態において、ボイスメール制御ブロック１０４および／または発呼者ＩＤブロック１０５は、そのような実施形態の着信管理機能を実現する移動通信装置から省略されてもよい。
【００３０】
図２に移り、本発明の実施形態の例を示す。図２の例では、前に図１に示したように、ＰＩＭ１０１、通信インタフェース１０２、および発呼者ＩＤ１０５を含む移動通信装置１００が再び示される。さらに、移動通信装置１００が受け取る着信呼（または、他の着信通信）を管理する着信呼管理システム２０１が含まれる。示した実施形態の着信呼管理システム２０１は、ＰＩＭ１０１の情報の少なくとも一部分に基づいて、移動通信装置１００の他の機能ブロックと対話して、受け取った着信（例えば、呼び出し）を管理するように動作できることが好ましい中間制御ブロック２０２を含む。例えば、中間制御部２０２は、通信通知制御部１０３、ボイスメール制御部１０４、ＩＰ通信インタフェース１０２Ｂおよび／または他の通信インタフェースを含むことが好ましい着信呼操作ブロック２０３と対話して、ＰＩＭ１０１の情報の少なくとも一部分に基づいて、受け取った着信を移動通信装置１００がどのように取り扱うかを管理することができる。
【００３１】
中間制御ブロック２０２は、ハードウェア、ソフトウェア、ファームウェアまたはその任意の組み合せで実現することができる。さらに、図２の例では別の論理ブロックとして示されているが、そのような中間制御ブロック２０２のすべてまたは一部分を、例えばＰＩＭ１０１や通信インタフェース１０２などの移動通信装置１００の１つまたは複数の他の機能ブロックと一体化してもよい。また、中間制御ブロック２０２は、移動通信装置１００内に一体化されてもよく、あるいはそのような移動通信装置１００に結合して、ＰＩＭ１０１の少なくとも一部分に基づく着信管理を可能にすることができる付属装置内に実施されてもよい。
【００３２】
好ましい実施形態の操作において、移動通信装置１００が、通信ネットワーク２０５から着信呼２０４を受け取る。通信ネットワーク２０５は、無線通信ネットワーク（例えば、セル、ＣＤＭＡ、ＴＤＭＡ、ＥＴＤＭＡ、ＣＤＰＤ（ｃｅｌｌｕｌａｒ　ｄｉｇｉｔａｌ　ｐａｃｋｅｔ　ｄａｔａ）、ＰＣＳ）、ローカル・エリア・ネットワーク（ＬＡＮ）、広域ネットワーク（ＷＡＮ）、モデム間接続、インターネット、イントラネットおよび／または以上の組合せを含むがこれらに限定されない現在既知または今後開発される任意のタイプの通信ネットワークを含むことができる。着信呼２０４は、移動通信装置１００によって受け取られる通話のような音声通信を含むことができる。追加または代替として、着信呼２０４は、例えば電子メール・メッセージや他のタイプのデータ通信など、移動通信装置１００が受け取ることができる他の任意のタイプのデータ通信を含むことができる。着信呼２０４は、適切な通信インタフェース１０２を介して移動通信装置１００によって受け取られることが好ましく、発呼者ＩＤ１０５は、呼２０４を行っている発呼者を識別することができる。発呼者を識別する際に、発呼者ＩＤ１０５は、発呼者の名前を提供してもよく、発呼者が呼び出しを行っている通信装置の番号（例えば、電話番号）を識別してもよい。呼び出しをする番号が提供される場合は、本発明のいくつかの実施形態において、着信呼管理システム２０１は、連絡先リストからの情報にアクセスして、発呼者の識別を決定することができる（例えば、その番号を、それぞれの連絡先と関連した自宅電話番号や職場電話番号などの１つまたは複数の番号と比較することによって）。
【００３３】
好ましい実施形態において、着信呼管理システム２０１は、ＰＩＭ１０１の情報の少なくとも一部分に基づいて、移動通信装置１００による着信呼２０４の操作を管理するように動作可能である。本明細書に使用されるとき、着信通信の「操作（ｈａｎｄｌｉｎｇ）」は、着信の積極的な転送および／または宛先指定を必要とせず、例えば適切なタイプの着信通知を提供するように装置の通知制御を設定することだけを含む。したがって、「操作」は、受け取った通信の転送および／または宛先指定（例えば、ボイスメールへの転送）を包括的に含む場合がしばしばあるが、着信のそのような転送や宛先指定を必要としない。したがって、操作は、着信に応答する通信装置を構成する任意のアクション（例えば、通信装置が適切なタイプの通知および／または適切なボイスメール挨拶などを提供するように構成する）を包括的に含むように意図される。
【００３４】
例えば、ユーザが、移動通信装置１００が着信呼２０４を受け取ったときにカレンダー１０１Ａに予定された約束があったと仮定すると、着信呼管理システム２０１は、カレンダー１０１Ａ内のそのような予定された約束の少なくとも一部分に基づいて、呼２０４を取り扱う移動通信装置１００の動作を管理することができる。例えば、中間制御部２０２は、そのような予定された約束に応じて、通信通知制御部１０３にアクセスして、予定された約束の間に利用する適切な通知設定を設定することができる。例えば、中間制御部２０２は、通信通知制御部１０３に適切なコマンドを発行して、予定された約束の間、可聴通知をオフにし振動モード通知を活動化することができる。代替または追加として、中間制御部２０２は、そのような予定された約束に応じて、ボイスメール制御部１０４にアクセスし、予定された約束の間にボイスメールによって受け取った呼のために再生される個人的挨拶を修正することができる。代替または追加として、中間制御部２０２は、そのような予定された約束に応じて、ＩＰ通信インタフェース１０２Ｂなどの通信インタフェースにアクセスして、予定された約束の間の外部サービス（外部ボイスメールや他のメッセージ・サービスなど）を修正することができる。カレンダー１０１Ａ内のそのような約束に基づく着信呼２０４の管理は、あらかじめ定義することができ、いくつかの実施形態では、ユーザは、後でさらに詳しく説明するように、予定された約束の間に装置１００によって利用される管理のタイプを指定する入力（例えば、選好）を提供することができる。
【００３５】
着信呼管理システム２０１（例えば、中間制御ブロック２０２）は、ＰＩＭ１０１から情報を任意の適切な方法で受け取るように実現することができる。例えば、いくつかの実施態様において、着信呼管理システム２０１は、ＰＩＭ１０１を定期的にポーリングしてＰＩＭ１０１内に新しい情報があればそれを取得することができる。他の実施態様において、ＰＩＭ１０１は、そのようなＰＩＭ１０１の情報に行なわれる変更または追加に基づいて、着信呼管理システム２０１に通知することができる。さらに他の実施態様において、呼出し管理システム２０１は、移動通信装置１００が着信呼２０４を受け取ったときにＰＩＭ１０１にポーリングして情報を取得することができる。ＰＩＭ１０１から受け取る具体的な情報は、実施態様により異なってもよい。すなわち、ＰＩＭ１０１から受け取る情報は、着信呼管理を行うために特定の実施態様において利用される情報のタイプに依存することがある。例えば、いくつかの実施態様において、着信呼管理システム２０１は、ＰＩＭ１０１のカレンダー・アプリケーションから、着信呼管理システム２０１がユーザのスケジュール（例えば、約束など）を決定できる情報を受け取ることができる。追加または代替として、いくつかの実施態様において、着信呼管理システム２０１は、ＰＩＭ１０１の連絡先リスト・アプリケーションから、着信呼管理システム２０１が、特定の連絡に関する情報（例えば、予定されている約束に割り込むような特定の連絡を可能するかどうか、特定の呼び出し音のような特定のタイプの通知を特定の連絡に使用するかどうかなど）を決定することができる情報を受け取ることができる
さらに、着信呼管理システム２０１は、着信呼２０４に応じてかつ／またはその呼２０４の前に、移動通信装置１００を構成する操作を行うことができる。例えば、着信呼管理システム２０１は、予定された約束の開始の時間になったら、移動通信装置を、そのような約束の間に利用されるための、適切な構成に設定することができる（例えば、装置の通知設定を、可聴通知などの代わりに振動モードに設定することができる）。追加または代替として、着信呼管理システム２０１は、着信呼２０４に応じて、装置の通知設定を、呼２０４を行う所定の発呼者に適切な設定にするように、移動通信装置１００を構成する操作を行うことができる。
【００３６】
好ましい実施形態において、中間制御部２０２は、また、着信呼２０４を管理する際に、発呼者ＩＤブロック１０５からの発呼者ＩＤ情報を利用することができる。例えば、前述の例に続いて、中間制御部２０２は、予定された約束に応じて、約束に参加するように予定された人からの呼として識別された呼以外のすべての着信呼の可聴通知をオフにすることができる。したがって、例えば、中間制御部２０２は、いくつかの実施形態において、カレンダー１０１Ａにアクセスして約束の予定出席者を決定することができ、また呼２０４を受け取ったときに、中間制御部２０２は、識別された発呼者（発呼者ＩＤ１０５からの情報に基づいた）が約束の予定出席者かどうかを決定することができる。呼２０４が、約束の予定出席者からのものである場合、中間制御部２０２は、そのような呼２０４を特定の方法で管理することができ（例えば、可聴通知を許容するように通信通知制御部１０３を構成する）、呼２０４が予定出席者からのものではないことを中間制御２０２が決定した場合は、そのような呼２０４を異なる方法で管理することができる（例えば、振動通知だけを許容にするように通信通知制御部１０３を設定する）。したがって、いくつかの実施形態において、カレンダー・アプリケーション１０１Ａに予定された個人的約束のようなイベントに関する情報の少なくとも一部分に基づいて着信を適切に管理するように移動通信装置１００を動的に構成することができる。
【００３７】
図３に移り、本発明の実施形態により適応された図１と図２のカレンダー・アプリケーション１０１Ａのように、移動通信装置上で実行することができるカレンダー・アプリケーションが生成することができるユーザ・インタフェース例３００を示す。ユーザ・インタフェース３００は、カレンダー・アプリケーション内のユーザのカレンダーにそのような約束を追加するために、約束に関する情報のユーザ入力を可能にする。例えば、入力ボックス３０１によって、ユーザは、予定されている約束の件名（または種類）を書き込むことができ、その約束は、図３の例では「Ｂｕｓｉｎｅｓｓ　Ｍｅｅｔｉｎｇ」である。入力ボックス３０２によって、ユーザは、約束の場所を入力することができ、その場所は、図３の例では「Ｃｏｎｆｅｒｅｎｃｅ　Ｒｏｏｍ　Ａ」である。入力ボックス３０３、３０４および３０５によって、ユーザは、約束の日付、開始時間および終了時間をそれぞれ入力することができる。図３の例では、約束は、２００１年１月１日（ボックス３０３への入力として）に、開始時間１０：００（ボックス３０４への入力として）と終了時間２：００（ボックス３０５への入力として）で予定されている。入力ボックス３０６により、ユーザは、図３の例では「Ｊａｎｅ　Ｄｏｅ」と「Ｒｏｂｅｒｔ　Ｒｏｅ」を含む約束の予定出席者を識別することができる。既存の技術のカレンダー・アプリケーションは、一般に、入力ボックス３０１〜３０６を含むユーザ・インタフェースを生成するために実行可能なコードを含む。
【００３８】
ユーザ・インタフェース３００は、また、約束の間、移動通信装置が着信をどのように管理すべきかに関するユーザの好みを指定する情報をユーザが入力することができるセクションを含むことができる。例えば、図３の例では、ユーザ・インタフェース３００は、ユーザが、予定された約束の間、移動通信装置が着信の通知をどのように管理すべきかを指定する情報を入力することができるセクション３０７を含む。より具体的には、約束の間の可聴通知（例えば、呼び出し音）をオフにすべきかどうかを選択することができるチェックボックス３０８が設けられている。制御バー３０９Ａによってユーザが指定できるような特定の音量を、約束の間の着信の可聴通知に利用するかどうかをユーザが指定できるチェックボックス３０９が設けられている。入力ボックス３１０Ａによってユーザが指定することができるような特定のタイプの呼び出し音を、約束の間の着信の可聴通知に利用するかどうかをユーザが指定できるチェックボックス３１０が設けられている。さらに、約束の間、振動モードの通知をオンにするかどうかをユーザが選択できるチェックボックス３１１が設けられている。したがって、カレンダー・アプリケーションにおいて約束の予定を立てるとき、ユーザは、さらに、そのような約束の間、着信をどのように管理するかに関するユーザの好みを指定することができ、本発明の実施形態によって、約束やそのような約束と関連したユーザの好みなど、着信を管理する際に利用されるＰＩＭ内の情報の少なくとも一部分に基づいて移動通信装置が受け取る着信を管理することができる。
【００３９】
図４Ａは、本発明の実施形態にしたがって適合された図１と図２のカレンダー・アプリケーション１０１Ａのように、移動通信装置上で実行することができるカレンダー・アプリケーションが生成することができるもう１つのユーザ・インタフェース例４００を示す。前述のユーザ・インタフェース例３００と同じように、ユーザ・インタフェース４００は、予定された約束をユーザの電子カレンダーに追加するためにそのような約束に関係する情報のユーザ入力を可能にする入力ボックス３０１〜３０６を含む。
【００４０】
ユーザ・インタフェース４００は、また、ユーザが予定された約束のタイプを指定する情報を入力することができるセクションを含むことができる。より具体的には、ユーザが、予定された約束に与えられるプライバシーを指定することができるセクションを含むことができる。例えば、図４Ａの例において、ユーザ・インタフェース４００は、予定された約束の間、移動通信装置が受け取った着信を移動通信装置がどのように管理するかを決定することができる約束のタイプを指定する情報（または、約束に与えられるプライバシー）をユーザが入力することができるセクション４０１を含む。より具体的には、ユーザが約束を「Ｐｒｉｖａｔｅ」として指定できるチェックボックス４０２が設けられている。さらに後で説明するように、ユーザが指定した好みによって、「Ｐｒｉｖａｔｅ」の約束の間に受け取る着信の特定の管理を定義することができる。チェックボックス４０３は、約束の出席者がその約束に割り込むことが適切であるかを、ユーザが指定することができ、それにより、約束の間、予定された出席者から受け取った着信の移動通信装置による通知が許可される。チェックボックス４０４は、入力ボックス４０４Ａで指定された人が約束に割り込むことが適切であることかを、ユーザが指定することができ、それにより、約束の間にそのような指定した人から受け取った着信の移動通信装置による通知が許可される。チェックボックス４０５は、ユーザが、約束の「思いやり割込（ｃｏｎｓｉｄｅｒａｔｅ　ｉｎｔｅｒｒｕｐｔｉｏｎ）」を許可するように指定することができる。そのような「思いやり割込」は、ユーザが指定した好みによって定義することができ、例えば、移動通信装置が受け取った着信の「思いやり」通知を提供する際に利用する通知の種類（例えば、耳に聞こえるか触知できるかどうか）、可聴通知の音量、可聴通知の種類（例えば、一連の音）を指定することができる。チェックボックス４０６は、ユーザが、約束に「Ｐｒｉｖａｃｙ　Ｌｅｖｅｌ１」を割り当てることを指定でき、この「Ｐｒｉｖａｃｙ　Ｌｅｖｅｌ１」は、ユーザが指定した好みによって定義することができる。いくつかの実施形態において、ユーザは、関連付けられたユーザ指定の着信管理操作によって、任意の数の約束タイプを定義することができ、そのような約束タイプは、特定のイベント（例えば、約束）の着信をどのように管理するかを指定するために利用できる。
【００４１】
図４Ａの例において、ユーザ・インタフェース４００は、さらに、ユーザが、約束の間にユーザの個人ボイスメール挨拶を変更するかどうかを選択できるチェックボックス４０７を含む。さらに、ユーザが、約束の間に使用される新しいボイスメール挨拶を入力できるようにする入力ボックス４０８が設けられている。例えば、新しいボイスメール挨拶を入力ボックス４０８にテキストで入力することができ、約束の間にユーザのボイスメールによる着信呼を受け取ったときに、文字／音声コンバータを使用して、ボックス４０８のテキストを、着信呼に対する挨拶として再生される音声に変換することができる。ボイスメールが外部アプリケーションによって制御されるいくつかの実施態様では、移動通信装置１００は、そのような外部アプリケーションと対話して、ユーザのボイスメールを適切に管理することができる。例えば、移動通信装置１００は、ＩＰインタフェース１０２Ｂを利用して外部アプリケーションと通信して、予定されたイベント（例えば、約束）のために必要に応じてユーザのボイスメールを構成する（例えば、個人的挨拶をボックス４０８で指定されたものに設定する）ことができる。
【００４２】
図４Ｂは、特定のタイプの通信管理に利用されるユーザの好みをユーザが指定できるように表示することができるユーザ・インタフェース例４５０を示す。例えば、ユーザは、「Ｐｒｉｖａｔｅ」（チェックボックス４０２で選択可能）、「Ｃｏｎｓｉｄｅｒａｔｅ　Ｉｎｔｅｒｒｕｐｔｉｏｎ」（チェックボックス４０５で選択可能）、「Ｐｒｉｖａｃｙ　Ｌｅｖｅｌ１」（チェックボックス４０６で選択可能）などのユーザ・インタフェース４００（図４Ａ）における選択に利用可能な管理タイプの好みを指定することができる。さらに、ユーザは、ユーザ・インタフェース４００（図４Ａ）による選択に利用可能な新しい管理タイプを定義することができる。
【００４３】
図４Ｂの例では、定義される通信管理名として、入力ボックス４５１に「Ｐｒｉｖａｃｙ　Ｌｅｖｅｌ１」が指定される。ユーザ・インタフェース４５０によって、「Ｐｒｉｖａｃｙ　Ｌｅｖｅｌ１」管理タイプと関連して移動通信装置が着信をどのように管理すべきかに関するユーザの好みを指定する情報を入力することができる。より具体的には、チェックボックス４５２は、「ＰｒｉｖａｃｙＬｅｖｅｌ１」の可聴通知（例えば、呼び出し音）をオフにすべきかどうかを選択するために設けられている。チェックボックス４５３は、ユーザが、「Ｐｒｉｖａｃｙ　Ｌｅｖｅｌ１」の着信の可聴通知に、制御バー４５３Ａによってユーザが指定できるような適当な音量を利用するかどうかを指定できるようにするために設けられている。チェックボックス４５４は、「Ｐｒｉｖａｃｙ　Ｌｅｖｅｌ１」の着信の可聴通知に、入力ボックス４５４Ａによってユーザが指定できるような特定の呼び出し音のタイプを利用するかどうかを指定できるようにするために設けられる。さらに、チェックボックス４５５は、「Ｐｒｉｖａｃｙ　Ｌｅｖｅｌ１」の振動モードの通知をオンにするべきかどうかを選択できるようにするために設けられる。また、チェックボックス４５６は、「Ｐｒｉｖａｃｙ　Ｌｅｖｅｌ１」に指定されたイベント（例えば、約束）を、入力ボックス４５６Ａで識別された人から移動通信装置への着信の通知によって中断できるようにするために含まれる。したがって、ユーザ・インタフェース４００（図４Ａ）において「Ｐｒｉｖａｃｙ　Ｌｅｖｅｌ１」が選択されている場合は、そのような管理タイプに指定された好みは、割り振られたイベント（例えば、約束）の間に受け取った着信を管理する際に利用される。
【００４４】
図３と図４Ａに示した以上の例は、カレンダー・アプリケーションにおいて約束を定義する情報を入力するユーザ・インタフェースを提供するが、本発明の実施形態は、そのようなカレンダー・アプリケーションに限定されない。より正確に言うと、好ましい実施形態は、任意のＰＩＭアプリケーションによって実現することができる。例えば、図５は、図１と図２の連絡アプリケーション１０１Ｂのような、移動通信装置上で実行することができる個人連絡アプリケーションが生成することができるユーザ・インタフェース例５００を示す。ユーザ・インタフェース５００は、連絡アプリケーション内にそのような連絡先を追加するために、ユーザ連絡と関連した情報のユーザ入力を可能にする。例えば、入力ボックス５０１〜５０６によって、ユーザは、連絡先の名前、住所、自宅電話番号、移動電話番号、職場電話番号、および連絡先と関係する他の情報をそれぞれ入力することができる。より具体的には、図５の例において、ボックス５０１への連絡先名前入力は、「Ｊａｎｅ　Ｄｏｅ」である。ボックス５０２へは、Ｊａｎｅ　Ｄｏｅの住所である１２３　Ｒｅｓｉｄｅｎｃｅ　Ｓｔ．が入力される。ボックス５０３、５０４および５０５へはそれぞれ、Ｊａｎｅ　Ｄｏｅの自宅電話番号、移動電話番号、および職場電話番号が入力される。Ｊａｎｅ　Ｄｏｅの電子メール・アドレス、ページャ番号などの他の連絡情報が分かる場合は、そのような情報をボックス５０６に入力することができる。既存の技術の個人連絡アプリケーションは、一般に、入力ボックス５０１〜５０６を含むユーザ・インタフェースを生成するように実行可能なコードを含む。
【００４５】
ユーザ・インタフェース５００は、また、移動通信装置が個人的連絡先（例えば、Ｊａｎｅ　Ｄｏｅ）からの着信をどのように管理すべきかについてのユーザの好みを指定する情報をユーザが入力することができるセクションを含むことができる。例えば、図５の例において、ユーザ・インタフェース５００は、ユーザが、連絡先からの受け取った通信をユーザに通知するために利用する可聴通知のタイプ（例えば、呼び出し音のタイプ）を選択できる入力ボックス５０７を含む。例えば、ユーザの管理者用に特定の一連の音を選択し、ユーザの配偶者用に別の一連の音を選択することができる。したがって、ユーザは、移動通信装置から提供される可聴通知のタイプに基づいて、呼が誰からのものかを認識することができる。
【００４６】
さらに、チェックボックス５０８、５０９および５１０は、カレンダー・アプリケーション内の予定された約束などの別のイベントに割り込むような連絡先からの通信を許可すべきかどうかをユーザが指定できるようにするために設けられる。より具体的には、ユーザは、チェックボックス５０８を選択して、約束などの別のイベントに割り込むような連絡を常に許可するように指定することができる。このように、ＰＩＭ情報が、連絡先から通信を受け取っているときにユーザが別のイベントを予定していたことを示しているかどうかに関係なく、連絡先からのそのような通信の通知は、移動通信装置によってユーザに提供される。代わりに、ユーザは、チェックボックス５０９を選択して、連絡先が別のイベントの参加者として指定されたときにそのイベントに割り込むような連絡を許可できることを指定することができる。代わりに、ユーザは、チェックボックス５１０を選択して、別のイベントに割り込むような連絡を許可してはならないことを指定することができる。したがって、連絡アプリケーション内の個人連絡情報を指定するとき、ユーザは、さらに、そのような連絡からの着信をどのように管理するかに関する好みを指定することができ、本発明の実施形態によって、個人連絡先情報および／またはそのような個人連絡先情報と関連したユーザ選択など、ＰＩＭ内の情報の少なくとも一部分に基づいて、移動通信装置が受け取る着信を管理することができる。
【００４７】
前述の例において、ＰＩＭアプリケーション・インタフェースは、ＰＩＭアプリケーション・インタフェース（例えば、カレンダー・インタフェース、連絡先リスト・インタフェースなど）を適合させる必要がないいくつかの実施態様において、特定のイベント（例えば、約束の間および／または特定の連絡先から受け取った呼）と関連して実行される着信呼管理のタイプに関する好みをユーザが指定できるように適合される。例えば、いくつかの実施形態において、着信呼管理システム２０１が、所望のタイプの着信呼管理を決定することができるＰＩＭアプリケーション（例えば、カレンダー・アプリケーション）から情報を受け取るように、着信呼管理システム２０１が、アプリケーション・プログラム・インタフェース（ＡＰＩ）を定義し利用することができる。例えば、ＰＩＭアプリケーションへのユーザ入力を特定のタイプの管理の好みと解釈するために着信呼管理システム２０１が使用できるＡＰＩを定義することができる。例えば、着信呼管理システム２０１は、ユーザが、管理のタイプ（例えば、「Ｐｒｉｖａｃｙ　Ｌｅｖｅｌ１」）およびそのタイプの管理と関連して実行する管理操作に関するユーザの好みを定義できるように、図４Ｂに示したユーザ・インタフェース例のようなユーザ・インタフェースを生成するコンピュータ実行可能ソフトウェア・コードを含むことができる。その後で、ユーザは、例えばカレンダー・アプリケーション内の約束の地の文（または、他のフィールド）に「Ｐｒｉｖａｃｙ　Ｌｅｖｅｌ１」を入力することができ、例えば、着信呼管理システム２０１は、ＡＰＩを利用してそのような「Ｐｒｉｖａｃｙ　Ｌｅｖｅｌ１」を認識し、その「Ｐｒｉｖａｃｙ　Ｌｅｖｅｌ１」を、約束と関連して実行される管理の定義タイプとして解釈することができる。このように、ＰＩＭアプリケーションのインタフェースがまったく修正されない場合があり、またＰＩＭアプリケーションは、着信呼管理システム２０１が、着信呼管理の基にする情報をそこから収集していることさえ気づかないことがある。
【００４８】
さらに、比較的単純な実施形態において、着信呼管理システム２０１は、ＡＰＩを使用してＰＩＭアプリケーションから情報を収集することができ、また特定の情報に遭遇したときに所定の管理操作を行うことができる。例えば、着信呼管理システム２０１は、特定の実施態様では、単純に、カレンダー・アプリケーションにおける予定された約束の間、可聴通知を不可にしかつ振動モードを可能にするように移動通信装置の通知を設定することができ、また別の状況では、着信呼の可聴通知を提供するように通知を設定することができる。したがって、この実施態様では、様々なタイプの管理操作を指定する様々な「プライバシー・レベル」に１つのイベント（例えば、予定された約束）を提供することができないが、むしろそのようなイベントに遭遇したときに所定の管理操作を行うことができる。
【００４９】
図６Ａに移り、好ましい実施形態の操作の流れ図の例を示す。図示したように、好ましい実施形態において、呼管理システム（例えば、図２の着信呼管理システム２０１）は、操作ブロック６０１において、ＰＩＭ情報とそれに対応する着信呼管理選好を受け取る。例えば、ブロック６０１で、移動通信装置の呼管理システムは、カレンダー・アプリケーションにおける予定された約束とそれに対応する（そのような約束の）ユーザの着信呼管理選好を受け取ることができる。操作ブロック６０２で、移動通信装置は、着信呼（例えば、着信通話、電子メール・メッセージなど）を受け取ることができる。ブロック６０３で、そのような移動通信装置の呼管理システムが、受け取った着信呼の着信呼管理をＰＩＭ情報の少なくとも一部分に基づいて行う。すなわち、呼管理システムは、受け取った呼を、ＰＩＭ情報の少なくとも一部分に基づいて適切に処理するように通信装置の動作を制御する。
【００５０】
図６Ｂは、さらに、ブロック６０３の着信呼管理を実行する操作フローの例を示す。例えば、移動通信装置の着信呼管理システムは、操作ブロック６０４で、受け取った呼の呼通知を許可するかどうかを決定することができる。そのような決定は、移動通信装置のＰＩＭの情報の少なくとも一部分に基づいて行うことができる。ブロック６０４で、受け取った呼の呼通知を許可しないと決定した場合は、ブロック６０５で、その呼をボイスメールに送ることができる。一方、ブロック６０４で、受け取った呼の呼通知を許可すると決定した場合、着信呼管理システムは、ブロック６０６で、利用する適切なタイプの通知を決定することができる。例えば、ブロック６０６で、特定タイプの可聴通知（ならびにそのような可聴通知の音量）、振動通知、他のタイプの通知、または複数のタイプの通知を利用するのが適切かどうかを決定することができる。例えば、適切なタイプの通知のそのような決定は、ＰＩＭからの情報および／または移動通信装置に記憶されたユーザの好みの少なくとも一部分に基づいて行うことができる。
【００５１】
次に、操作ブロック６０７で、着信管理システムは、移動通信装置を適切であると決定したタイプの通知用に構成することができる。例えば、着信管理システムは、コマンドを通知制御ブロック（例えば、図１と図２のブロック１０３）に送って、移動通信装置を適切なタイプの通知用に構成することができる。操作ブロック６０８で、そのような通知を作動して、受け取った着信呼をユーザに通知することができる。
【００５２】
以上、着信のユーザ通知を管理する様々な例を説明したが、本発明の実施形態は、そのような通知の管理だけに限定されるものではないことを理解されたい。より正確に言うと、本発明の実施形態により、移動通信装置が着信にどのように応じるか任意のタイプの管理を実施することができる。例えば、移動通信装置は、ボイスメールの構成を、ＰＩＭアプリケーションの情報の少なくとも一部分に基づいて自律的に管理するように実施される。
【００５３】
さらに、本発明の実施形態は、ＰＩＭアプリケーション内の情報だけに限定的されるように意図されていないことを理解されたい。代わりに、本発明のいくつかの実施形態は、移動通信装置の動作と直接関係しないイベントを定義する実行可能な任意のアプリケーションへのユーザ入力情報の少なくとも一部分に基づいて、移動通信装置への着信の管理を可能にする。例えば、いくつかの実施形態において、少なくとも１つのイベントを定義する情報が、移動通信装置が実行可能な任意のタイプのアプリケーションに記憶される。移動通信装置は、移動通信装置が受け取った着信のイベント駆動管理を実行するように動作可能な着信マネージャを含むことができ、着信は、イベントを定義する情報の少なくとも一部分に依存する複数の異なる方法から選択された適切な１つの方法で管理される。イベントを定義する情報は、着信を管理する着信マネージャによって使用され、例えば、移動通信装置が着信を受け取る時間に対応する時間的データ、移動通信装置が着信を受け取る時間に対応するユーザの予定された約束、および／または着信を誰から受け取るかの識別子に対応する識別データを含むことができる。
【００５４】
以上、移動通信装置上でＰＩＭが実行する様々な例を提供したが、いくつかの実施形態において、ユーザがアクセスできるＰＩＭが、移動通信装置で利用できないことがある。例えば、特定の実施形態において、移動通信装置は、ユーザがＰＩＭにアクセスすることができる別の装置（例えば、ＰＣ）に少なくとも一時的に通信可能に結合することができる。例えば、ユーザは、ＰＣ上で実行するカレンダー・アプリケーション上で自分のカレンダーを維持してもよく、また移動電話やＰＤＡなどの移動通信装置をＰＣに定期的に通信可能に結合して、ＰＣのカレンダー・アプリケーションからの情報を、移動通信装置が維持するカレンダー情報と同期させてもよい。例えば、移動電話は、カレンダー情報を維持することができるが、移動電話は、その移動電話によってユーザが直接アクセス可能なカレンダー・アプリケーションを提供できないことがある。その後で、着信の管理に関して本明細書で示したように、モバイル装置がＰＣ（または他の装置）から受け取ったＰＩＭ情報（例えば、カレンダー情報）を使用することができる。
【００５５】
さらに、前述のように、本発明の実施形態は、特に移動通信装置で実現するのに適しているが、本発明のいくつかの実施形態は、パーソナル・コンピュータ（ＰＣ）などの非モバイル装置で実現することもできる。例えば、本発明の実施形態は、ＰＣが受け取った着信をＰＩＭ情報の少なくとも一部分に基づいて管理できるように、ＰＣ上に実現されてもよい。例えば、ＰＣは、（例えば、モデムによって）電子メール通信を受け取るために、データ通信インタフェースなどの１つまたは複数の通信インタフェースを備えることがある。また、多くの電子メール・アプリケーションは、可聴通知（例えば、チャイム）および／または受け取った電子メール・メッセージの視覚的通知を提供する（例えば、ＰＣの表示画面上にポップアップ・メッセージを表示する）。受け取った電子メールのそのような通知は、例えばＰＣ上で実行することができるＰＩＭの情報の少なくとも一部分に基づいて制御されるのが望ましいことがある。例えば、ユーザは、カレンダー・アプリケーションにおいて、（例えば、ユーザのＰＣが置かれている）ユーザのオフィス内で行われる約束の予定をたてることができ、着信呼管理システム２０１が、予定された約束の間、可聴通知が予定された約束を妨害したり割込したりしないように受け取った電子メール通信の可聴通知を不可にするようにＰＣに含まれることがある。当然ながら、本発明の着信呼管理システムの実施形態は、また、ＰＣと同期させることができるユーザのモバイル機器上で実現することもでき、それにより、予定された約束に関する情報を利用して、約束の間、ユーザのモバイル機器への着信を管理することもできる。
【００５６】
この発明は例として次の実施形態を含む。
【００５７】
（１）通信装置１００であって、
着信２０４を受け取るように動作可能な通信インタフェース１０２と、
前記通信装置が実行可能なパーソナル・インフォメーション・マネージャ１０１と、
前記パーソナル・インフォメーション・マネージャの情報の少なくとも一部分に基づいて、前記通信装置が受け取る着信を管理するために前記通信装置が実行可能な着信マネージャ２０１と、
を含む通信装置１００。
【００５８】
（２）前記パーソナル・インフォメーション・マネージャが、
カレンダー１０１Ａ、連絡先リスト１０１Ｂ、タスク・リスト、住所録および予定帳を含むグループから選択された少なくとも１つのタイプのアプリケーションを含む（１）に記載の通信装置。
【００５９】
（３）前記着信マネージャが、前記着信の通知を管理するように実行可能である（１）に記載の通信装置。
【００６０】
（４）前記着信マネージャが、
可聴通知の活動化、可聴通知の種類、可聴通知の音量、および振動通知の活動化からなるグループから選択された前記通信装置の少なくとも１つの通知パラメータを構成するように実行可能な（３）に記載の通信装置。
【００６１】
（５）移動通信装置の着信を管理する方法であって、
パーソナル・インフォメーション・マネージャ１０１への情報を受け取るステップと、
前記移動通信装置で着信２０４を受け取るステップとを含み、
前記移動通信装置が、前記パーソナル・インフォメーション・マネージャの前記情報の少なくとも一部分に基づいて、受け取った着信を取り扱う適切な方法を自律的に決定する方法。
【００６２】
（６）前記受け取った着信を取り扱う前記適切な方法が、前記着信の適切な通知を含む（５）に記載の方法。
【００６３】
（７）前記着信の前記適切な通知が、
可聴通知の活動化、可聴通知の種類、可聴通知の音量、および振動通知の活動化からなるグループから選択された少なくとも１つの通知パラメータの適切な構成を含む（６）に記載の方法。
【００６４】
（８）前記パーソナル・インフォメーション・マネージャの前記情報が、
カレンダー１０１Ａ、連絡先リスト１０１Ｂ、タスク・リスト、住所録および予定帳からなるグループから選択された少なくとも１つのタイプのアプリケーションと関連した情報を含む（５）に記載の方法。
【００６５】
（９）移動通信装置１００の着信管理システムであって、
前記移動通信装置に着信２０４を受け取る手段１０２と、
少なくとも１つのイベントを定義する情報を記憶する手段１０１と、
前記移動通信装置に受け取った着信のイベント駆動管理を実行する手段２０１とを含み、前記着信が、前記少なくとも１つのイベントの少なくとも一部分によって複数の異なる方法から選択された適切な方法で管理される着信管理システム。
【００６６】
（１０）前記少なくとも１つのイベントを定義する前記情報が、
前記移動通信装置が前記着信を受け取った時間に対応する時間的データ、前記移動通信装置が前記着信を受け取った時間に対応するユーザの予定された約束、および前記着信を誰から受け取ったかの識別に対応する識別データからなるグループから選択された少なくとも１つを含む（９）に記載のシステム。
【図面の簡単な説明】
【図１】本発明の実施形態を実現することができる移動通信装置例を示す図
【図２】本発明の実施形態の実施例を示す図
【図３】本発明の実施形態により移動通信装置上で実行するカレンダー・アプリケーションによって生成することができるユーザインタフェース例を示す図
【図４Ａ】本発明の実施形態により移動通信装置上で実行するカレンダー・アプリケーションによって生成することができるもう１つのユーザ・インタフェース例を示す図
【図４Ｂ】ユーザが特定タイプの通信管理に利用されるユーザの好みを指定できるようにするために提示することができるユーザ・インタフェース例４５０を示す図
【図５】本発明の実施形態により移動通信装置上で実行する個人連絡アプリケーションによって生成することができるユーザ・インタフェース例を示す図
【図６Ａ】本発明の好ましい実施形態の操作の流れ図の例を示す図
【図６Ｂ】本発明の好ましい実施形態の操作の流れ図の例を示す図
【符号の説明】
１００　通信装置
１０１　パーソナル・インフォメーション・マネージャ
１０１Ａ　カレンダー
１０１Ｂ　連絡先リスト
１０２　通信インタフェース
２０１　着信マネージャ
２０４　着信
【図１】
2004007620.tif 000003
【図２】
2004007620.tif 000004
【図３】
2004007620.tif 000005
【図４Ａ】
2004007620.tif 000006
【図４Ｂ】
2004007620.tif 000007
【図５】
2004007620.tif 000008
【図６Ａ】
2004007620.tif 000009
【図６Ｂ】
2004007620.tif 000010